(57)【特許請求の範囲】
【請求項１】
多数の髭進入口が形成された薄い環状の髭剃り面を上面に有する外刃と、前記外刃の下面に前記髭剃り面の下方から摺接しつつ回転する小刃を持つ内刃とを有するロータリー式電気かみそりにおいて、
前記外刃には複数かつ同心の薄い環状髭剃り面が一体に形成され、前記環状髭剃り面の１周内で、２等分以上に分ける各角度範囲内の開口密度を一定回転方向に連続的に変化させ、これら複数の環状髭剃り面の周方向に髭進入口の開口密度を変化させたことを特徴とするロータリー式電気かみそり。
【請求項２】
環状髭剃り面の１周内で、髭進入口の開口密度が最小になる部分を２箇所以上等角度間隔で設けた請求項１に記載のロータリー式電気かみそり。
【請求項３】
外周側と内周側の環状髭剃り面に設けた髭進入口の開口密度の変化を、周方向に揃えた請求項１または２に記載のロータリー式電気かみそり。
【請求項４】
外周側の髭剃り面に形成する髭進入口の開口密度を、内周側の髭剃り面に形成する髭進入口の開口密度より高くした請求項１に記載のロータリー式電気かみそり。
【請求項５】
内周側と外周側の髭剃り面にそれぞれ形成した共通な直線上に位置する共通髭導入スリットと、外周側の髭剃り面に形成されかつ前記共通髭導入スリットの間に位置する外周側の非共通髭導入スリットとを有する請求項４に記載のロータリー式電気かみそり。
【発明の詳細な説明】
【技術分野】
【０００１】
この発明は、多数の髭進入口が形成された環状の髭剃り面を有する外刃と、前記外刃に前記髭剃り面の下方から摺接しつつ回転する小刃を持つ内刃とを有するロータリー式電気かみそりに関するものである。
【背景技術】
【０００２】
この種のロータリー式の電気かみそりでは、略円盤状の外刃が肌の細かい凹凸に細かく追従し、また使用者ごとに異なる髭の特性に対応して髭を剃り残し無く円滑に剃れるようにすることが求められる。例えば使用者の顎の下など大きい凹凸があったり皮膚の皺があったりする部位では、髭のそり残しが増えるという問題がある。また外刃を皮膚に強く押し付けると、深剃りとなって皮膚を傷めることもあり得る。
【先行技術文献】
【特許文献】
【０００３】
【特許文献１】特表２０００−５０９６２８
【特許文献３】特表２００４−５１５２８３
【特許文献２】特開２００６−５１０４３０
【０００４】
特許文献１には、１つの環状髭剃り面（シングルトラックとも言う）を持つ外刃を複数備え、各外刃の環状髭剃り面の髭進入口の開口密度（開口率、髭剃り面積に対する開口面積の比、（開口面積）／（髭剃り面積））を刃枠体（外刃枠）の中心側（複数の外刃が互いに接近する部分付近）で小さくしたもの、逆に大きくしたものが示されている。すなわち、外刃に長い髭を剃る形式と短い髭を剃るための形式などの異なる形式の髭進入口（髭入力開口）を設け、異なる外刃の互いに向き合う位置に同一形式の髭剃り領域を配置するものである。
【０００５】
特許文献２には、特許文献１の複数の外刃をそれぞれ回動可能にし、異なる外刃の同一形式の髭進入口が互いに向き合う位置（刃枠体の中央側）に揃えるように回転させるものが示されている。すなわち内刃の回転に伴う摩擦力により外刃を回動させ、外刃外周に設けた突起を制御部材に当接させることによって外刃の回転方向に位置を固定するものである。ここに制御部材を突起に係脱させることによって外刃の回動位置を変化させるものである。
【０００６】
特許文献３には、環状の外刃髭剃り面の内周側中央に取り付ける化粧カバー上面（皮膚支持領域）に、外刃髭剃り面の内周縁に近接した周方向の一部角度領域に隆線を設けて、これら隆線が髭剃り面に接触する皮膚の接触圧を減らし、皮膚を保護するものが示されている。すなわち隆線がこれに接触する皮膚を髭剃り面から離れる向きに押して、隆線の外側に近接する髭剃り面の接触圧を減少させるものである。
【発明の概要】
【発明が解決しようとする課題】
【０００７】
特許文献１、２、３のものはいずれも外刃に１重の環状の髭剃り面を設けたものであり、髭剃り面積を増大することには大きな制約が生じ髭剃りの能率を向上させることに制約が生じるという問題がある。髭剃り面積を増大するためには、２重（多重）の環状髭剃り面を設けることが考えられるが、この場合には通常表面が外側に膨らんで凸状となっている皮膚に外刃上面を垂直に押し付けた時に、外刃の中央付近、従って内側の環状髭剃り面が強く皮膚に当たるので、特に外刃の接触圧を大きくした場合には内側の環状髭剃り面による髭が深く剃られ皮膚を傷めるという問題が生じ得る。
【０００８】
特許文献１には、複数の外刃の同一形式の髭進入口を対向位置にすることが記載されているが、それぞれの外刃に多重の環状髭剃り面を形成した時には各外刃の中央付近の接触圧が増大し前記の問題が残る。
【０００９】
特許文献２によれば、複数の外刃を同時に回転させてそれぞれの外刃の同じ形式の髭剃り領域が対向するように制御できるが、平坦な皮膚に対して垂直に複数の外刃を同時に強く押し付けた時にはそれぞれの外刃では中央付近の接触圧が大きくなって前記特許文献１と同様の問題が生じ得る。特許文献３によれば、中央の化粧カバー（皮膚支持領域）に隆線を設けるために髭剃り領域の増大に制約が生じ、髭剃り能率の向上が制限される。
【００１０】
この発明はこのような事情に鑑みなされたものであり、外刃の髭剃り面積を大きくして髭剃り能率を向上させることができ、また外刃を皮膚に垂直に強く押し付けながらグリップを回転させた時に外刃の中央付近の皮膚に対する接触圧が大きくなっても髭の深剃りを防ぎ皮膚を保護することができるロータリー式電気かみそり、を提供することを目的とするものである。
【課題を解決するための手段】
【００１１】
この発明によればこの目的は、多数の髭進入口が形成された薄い環状の髭剃り面を上面に有する外刃と、前記外刃の下面に前記髭剃り面の下方から摺接しつつ回転する小刃を持つ内刃とを有するロータリー式電気かみそりにおいて、
前記外刃には複数かつ同心の薄い環状髭剃り面が一体に形成され、前記環状髭剃り面の１周内で、２等分以上に分ける各角度範囲内の開口密度を一定回転方向に連続的に変化させ、これら複数の環状髭剃り面の周方向に髭進入口の開口密度を変化させたことを特徴とするロータリー式電気かみそり、により達成される。
【発明の効果】
【００１２】
この発明によれば、複数の同心円状の薄い環状髭剃り面を外刃の上面に形成したので、髭剃り面積を増やして髭剃りを能率良くすることができる。また電気かみそりは通常皮膚に当てて移動させながら（皮膚の表面で滑らせながら）使用するから、外刃を僅かに移動させれば皮膚の同一箇所に異なる開口密度の髭剃り面が順次あるいは繰り返し接触することになる。この時複数の髭剃り面の開口密度が一定回転方向に連続的に変化しているので、皮膚に対して外刃を僅かに移動させたり、外刃を中心にしてグリップ部や本体部を僅かに回転させて、外刃の皮膚表面での接触位置を移動させることによって、皮膚の同一箇所に異なる開口密度の髭剃り面が一定回転方向に常に連続的に順次あるいは繰り返し接触することになる。このため外刃を皮膚に強く接触させても開口密度の大きい領域が常時接触しているのではないから、深剃りにより皮膚を傷める恐れが少なくなる。
【図面の簡単な説明】
【００１３】
【図１】本発明の実施例では無いが関連する一実施例の外観を示す斜視図である。
【図２】同じく外刃の髭進入口の配置例を示す図である。
【図３】図１における１つの刃組み立て体の断面図である。
【図４】外刃の一部拡大断面図であってスリットの加工方法を説明する図である。
【図５】同じく外刃の研削／研磨方法を説明する断面図である。
【図６】同じく内刃の研削／研磨方法を説明する断面図である。
【図７】本発明の実施例である外刃の髭進入口の配置を示す図である。
【発明を実施するための形態】
【００１４】
外刃に形成する環状髭剃り面は２重の同心円状であっても良いし、３重以上の同心円状であっても良い。開口密度を周方向に変化させるためには、環状髭剃り面の１周内で、髭進入口の開口密度が最小になる部分を２箇所以上等角度間隔で設けることができる（請求項２）。開口密度が最小になる部分は、開口が無く滑らかな金属表面（ブランク）とすることができ、この場合ブランクを周方向に等間隔に２箇所以上設ける。ブランクに代えて開口密度が非常に小さい領域を設けても良い。このブランクや開口密度が非常に小さい領域では皮膚表面での滑りが良く、髭の深剃りが生じないので、外刃を移動させることによって本発明の効果が大きくなる。
【００１５】
この発明では、開口密度を周方向に変化させるために、環状髭剃り面の１周内で、２等分以上に分ける各角度範囲内の開口密度を一定回転方向に連続的に変化させているから、通常外刃を皮膚表面に当てながらグリップ部を左右に揺動させて回転させる習慣や癖がある使用者に好適である。すなわちこのような癖がある場合には、外刃の移動によって皮膚の、髭剃り箇所に当たる部分の開口密度が常に連続的に変化するから、滑らかな剃り心地を保ちつつ深剃りを防ぎ、皮膚の保護も図れる。
【００１６】
外周側と内周側の環状髭剃り面に設けた髭進入口の開口密度の変化を、周方向に揃えれば、外周側と内周側の開口密度の変化が半径方向に揃うことになり、前記の効果は一層大きくなる（請求項３）。例えばブランクの部分が外周側と内周側で径方向に揃えば、外刃の滑りが一層良くなり、深剃りが生じにくく皮膚の保護効果が大きくなる。
【００１７】
外周側の髭剃り面に形成する髭進入口の開口密度を、内周側の髭剃り面に形成する髭進入口の開口密度より高くすることも望ましい（請求項４）。この場合には外刃を皮膚の凸部に押し付けた時に、内周側の接触圧が大きくなっても、外周側の髭進入口により深剃りになったり皮膚を傷める恐れが少なくなるからである。
【００１８】
外刃の髭剃り面に形成する髭進入口は、スリット状にすることができる。スリット状であれば後記する外刃の加工時に水平軸回りに回転する回転円盤砥石を外刃の（環状髭剃り面の）半径方向または半径方向にやや傾けて（ほぼ半径方向に）移動させることにより全ての環状髭剃り面に一工程で能率良く加工できる。なおスリットの方向は外刃の半径方向に厳密に一致している必要は無く半径に対して傾けたものであっても良く、ここではこれらを含めて半径方向と言うことにする。
【００１９】
スリットは周方向間隔の角度を、外周側の髭剃り面で内周側の髭剃り面よりも小さくすることによって、外周側の髭剃り面に形成する髭進入口の開口密度を、内周側の髭剃り面に形成する髭進入口の開口密度より高くすることができる。
【００２０】
例えば、内周側と外周側の髭剃り面にそれぞれ形成した共通な直線上に位置する共通髭進入スリットと、外周側の髭剃り面に形成されかつ前記共通髭進入スリットの間に位置する外周側の非共通髭進入スリットとを設けることによって、外周側の髭剃り面の開口密度を大きくすることができる（請求項５）。この場合スリットの開口幅は同一とすれば、同一の加工具（回転円盤砥石など）を用いることができ便利であるが、スリット開口幅は変化させても良い。
【００２１】
外周側の髭剃り面と内周側の髭剃り面は内刃の回転軸方向に沿って高さが異なるようにすることにより、皮膚との接触圧が適切になるようにすることができる。例えば内周側の髭剃り面を外周側の髭剃り面よりも内刃回転軸方向に高くすれば、内周側の髭剃り面の皮膚接触圧を増大できるが、内周側の髭剃り面の開口密度が低いので滑りが良くなり、深剃りを防止しつつ皮膚を保護できる。反対に内周側の髭剃り面を外周側の髭剃り面よりも内刃回転軸方向に低くしたり、ほぼ同一の高さにすれば、皮膚の凸部に適切に接触できる。
【００２２】
このように外刃の内周側と外周側の開口密度に周方向の変化を設けるだけでなく、外周側と内周側の開口密度に変化を持たせたり、外周側と内周側の環状髭剃り面の高さ変化を組み合わせたりすることによって、より一層変化に富んだ髭剃り特性を持たせることが可能になり、使用者の好み、髭の癖などの特性に一層適切に対応させることが可能になる。
【実施例１】
【００２３】
図１において符号５０は本体部であり、略円柱状のグリップ部５２の上部を斜め前上方へ折曲したケース５４を持つ。このケース５４は前後割りであり、その内部には充電可能な電池、電気モータ、制御回路基板など（図示せず）が収容されている。ケース５４の前面には電源スイッチ５６が取付けられ、このスイッチ５６の下方には電池の充電残量や動作状態などを示すＬＥＤランプからなる表示器（図示せず）がケース５４の半透明部分５４Ａを通して外から目視可能となっている。
【００２４】
ケース５４の上部にはヘッド部５８が開閉可能かつ着脱可能に取付けられている。なおヘッド部５８は、その髭剃り面（後記刃枠体６０の上面）が斜め前上方を指向するようにケース５４のグリップ部５２に対して傾いている。前記電気モータはその回転出力軸がこのヘッド部５８の内部を指向してケース５４の上面から突出し、後記する内刃１２を回転駆動すると共に、内刃１２を上方に弾性を持って押し上げて小刃２２、２４の髭剃り面１６、１８の下面に対する接触圧を適正に保持している。
【００２５】
ヘッド部５８は、ケース５４の上面に開閉可能に取り付けられる刃枠体（外刃枠）６０に、３組の刃組み立て体６２を組み付けたものである。刃枠体６０は平面視略三角形で周縁をなだらかに下方へ湾曲させた形状である。刃枠体６０には３つの円形の取付口が形成され、ここにそれぞれ刃組み立て体６２が傾斜可能かつ上方へ復帰習性を持って可動に保持される。
【００２６】
すなわち刃組み立て体６２は、略円盤状で周縁が下方に折曲された外刃１０と、この外刃１０の外周が嵌め込まれた外刃リム６４と（図１）、外刃１０に下方から摺接する内刃１２（図３）とを備える。内刃１２はこの刃組み立て体６２に回転可能であってかつ下方に脱落しないように保持され、前記したように電気モータにより回転駆動される。
【００２７】
外刃１０の上面には図２、３に示すように、中心軸２０と同心に形成された環状凹溝１４と、この環状凹溝１４を挟んでその外側と内側に二重の環状髭剃り面１６、１８とが形成されている。二重の環状髭剃り面１６、１８は、内側の髭剃り面１８が外側の髭剃り面１６よりも高く、すなわち中心軸２０に沿って高さが高く、またこれらの髭剃り面１６、１８は中心軸２０に対して水平な平面上に位置する。換言すれば、中心軸２０に沿った高さが異なる水平面上にこれらの髭剃り面１６、１８は位置する。
【００２８】
この外刃１０には、図１、２に示すように、半径方向に多数の髭進入口となるスリット６５が形成され、この上面は外刃リム６４より突出している。このスリット６５は、図４に示すように回転円盤砥石６６によって加工される。すなわち外刃１０となる金属板（金属素材）は、両環状髭剃り面１６、１８になる部分とこれらの間に位置する環状凹溝１４とがプレス加工され、このプレス加工済みの金属素材に上方から回転円盤砥石６６をその外周を縦向きにして回転させつつほぼ半径方向に移動させ、環状凹溝１４を残して環状髭剃り面１６、１８となる部分に切り込みを入れるものである。回転円盤砥石６６は、ダイヤモンド砥粒などの耐摩耗性粒子を砥粒に分散し硬化させた薄い円形ディスク状の工具である。
【００２９】
この回転円盤砥石６６は、まず両方の環状髭剃り面１６、１８を同時に加工するように、図４の第１加工線６８に沿った深さの加工をする。すなわち、回転円盤砥石６６の外周（切削加工縁）が第１加工線６８に沿って移動するように回転円盤砥石６６の回転中心Ａをほぼ半径方向（図４の移動線６８ａ方向）に移動させる。また外側の環状髭剃り面１６のスリット６５（６５Ｂ）だけを選択的に深く加工するためには、回転円盤砥石６６の外周が図４に示す第２加工線７０に沿って移動するように回転中心ＡをＢの位置に移動して、この中心Ｂを第２加工線７０に平行な移動線７０ａに沿ってほぼ半径方向に移動させればよい。
【００３０】
この実施例では、内周側の環状髭剃り面１８の開口密度（開口率）が外周側の開口密度よりも小さくなっている。すなわち図４の第１加工線６８に沿った加工によって、内周側と外周側のスリット６５Ａ、６５Ａが共通直線６７Ａ（図２）上に形成され、また第２加工線７０によって外周側髭剃り面１６だけに非共通直線スリット６５Ｂが非共通直線６７Ｂ上に形成される。この場合に、スリット６５Ａ、６５Ｂの加工に共通の回転円盤砥石６６を用いることができ、同一開口幅のスリットを加工できる。
【００３１】
また非共通直線スリット６５Ｂは共通直線スリット６５Ａの間に１つづつ形成すれば、外周側髭剃り面１６のスリット数を内周側髭剃り面１８のスリット数の２倍（ただし共通直線スリット６５Ａが偶数の時）にすることができる。従って、外周側の開口密度を内周側の開口密度より高くすることができる。
【００３２】
この状態では、環状髭剃り面１６、１８となる部分は外刃１０の金属板の厚さであるから、次に環状髭剃り面１６、１８の部分を研削あるいはその後で研磨することにより十分に薄い環状髭剃り面１６Ａ、１８Ａ（図５）に加工する。この加工は図５に示すように、上面を環状髭剃り面１６Ａと１８Ａの高さの差に対応した段差を有するバイトなどの研削具や砥石などの研磨具（両者を含めてここでは研削／研磨具ともいう。）７２を、中心軸２０を中心にして回転させることにより行うことができる。
【００３３】
また環状髭剃り面１６、１８の下面は、同様にこれらの高さの差に対応した段差を有する研削／研磨具７４を用い、これを中心軸２０を中心に回転させることにより加工することができる。図５において破線で示す１６Ａ、１８Ａは髭剃り面の上面（肌に接触する面）を、１６Ｂ、１８Ｂは髭剃り面の下面（内刃１２の小刃２２、２４が摺動する面、内刃摺動面）を示している。なお研削／研磨具７２、７４を回転させるのに代えてまたはこれらの回転と共に、外刃１０を回転させても良いのは勿論である。
【００３４】
図３において内刃１２は、髭剃り面１６Ａ、１８Ａの下面（内刃摺動面）１６Ｂ、１８Ｂに摺接する小刃２２、２４を共通の金属板１２Ａに一体に形成したものである。これらの小刃２２、２４は、上端縁がそれぞれ内刃摺動面となる下面１６Ｂ、１８Ｂに摺接して、スリット６５に入った髭をカットするものであるから、この上端縁の高さを内刃摺動面１６Ｂ、１８Ｂの高さに一致させると共に研磨して切れ味を向上させておくことが必要である。そこで内刃となる金属板１２Ａには、この高さの差に対応した段差を有する研削／研磨具７６（図６）を用いてこれを中心軸２０を中心にして相対的に回転させることにより加工することができる。図６の破線２２Ａ、２４Ａは、この研削／研磨具７６による加工後の上端縁（刃面）を示している。
【００３５】
この実施例では、スリット６５の配置が周方向に不均一になっている。すなわち図２に示すように、外周側髭剃り面１６と内周側髭剃り面１８の周方向に所定間隔で開口密度が小さくなる部分、例えばスリットがない滑らかな部分（ブランク、スリット密度が疎の部分）１６Ｃ、１８Ｃをそれぞれ８箇所に設けている。これらのブランク部分１６Ｃ、１８Ｃは、外周側と内周側のものが周方向に揃えてこれらが半径方向に並んでいる。従ってブランク部分１６Ｃ、１８Ｃによる皮膚に対する滑り良さが低下せず、特に外刃１０を皮膚に対して平行移動する際の髭剃り感を向上できる。
【００３６】
なお各ブランク１６Ｃ、１８Ｃの間の領域１０Ａでは、スリット６５の密度は周方向に一定である。また内周側のスリット６５の数が外周側のスリット６５の数よりも少ない（図２のものでは、前者が後者の半分である。）ので、内側の髭剃り面１８が外側の髭剃り面１６より高くなっていて皮膚との接触圧が大きくなっていても皮膚を傷める恐れが少ない。
【実施例２】
【００３７】
図７は各外刃１０の髭剃り面１６、１８を周方向に４分割し、それぞれの領域１０Ｂ内でスリット６５の密度を周方向に徐々に変化させたものである。ここでは周方向にスリット密度を密から疎に徐々に変化させた。また内周側１８と外周側１６は、スリット密度が小さい部分（スリットがない滑らかなブランク部分）１６Ｃ、１８Ｃを周方向に揃え径方向に並べものである。この図７では図２と同一部分に同一符号を付したのでその説明は繰り返さない。
【００３８】
この実施例によれば、外刃１０を分割した領域１０Ｂの範囲内で中心軸２０を中心にして回転方向に往復させながら髭を剃る場合に、皮膚に当たる部分のスリット密度が変化するから、皮膚を傷める恐れがない。また内周側のスリット６５の数が外周側のスリット６５の数よりも少ない（図７のものでは、前者が後者の半分である。）ので、内側の髭剃り面１８が外側の髭剃り面１６より高くなっていて皮膚との接触圧が大きくなっていても皮膚を傷める恐れが少ない。
【符号の説明】
【００３９】
１０  外刃
１２  内刃
１６、１８  環状髭剃り面
１６Ａ、１８Ａ  髭剃り面
１６Ｃ、１８Ｃ  ブランク部
２０  中心軸（回転軸）、中心
２２、２４  小刃
５０  本体部
５４  ケース
５８  ヘッド部
６５（６５Ａ、６５Ｂ）  スリット（髭進入口）
【図１】
0005578724.tif 000002
【図２】
0005578724.tif 000003
【図３】
0005578724.tif 000004
【図４】
0005578724.tif 000005
【図５】
0005578724.tif 000006
【図６】
0005578724.tif 000007
【図７】
0005578724.tif 000008